(57)【要約】【課題】的中した投票券の配当金を分割する形の払戻指定ができる投票券払戻装置、投票券発券・払戻装置を提供することを目的とする。【解決手段】投票券払戻し装置は、投票結果の確定した投票券を読取る投票券読取手段と、読取られた投票券データをセンタに送信し、センタから払戻データを受信する通信手段と、受信した払戻データに基づき配当金の払戻を行う払戻手段とを有する投票券払戻装置であって、払戻手段は、読取られた投票券のベットから投票が的中した複数ベットを表示する複数ベット表示手段と、表示された複数ベットから、払戻ベットを指定する払戻ベット指定手段と、指定されたベットの配当金の払戻を行う指定ベット金額払戻手段と指定されたベットを除いた残ベットの配当金を合計する残ベット金額計算手段と、計算された残ベットの合計金額を投票券に出力し、金券として発行する金券発行手段とを有する構成である。【選択図】  図１
2004164330.tif 000002
【特許請求の範囲】
【請求項１】
投票結果の確定した投票券を読取る投票券読取手段と、読取られた投票券データをセンタに送信し、センタから払戻データを受信する通信手段と、受信した払戻データに基づき配当金の払戻を行う払戻手段とを有する投票券払戻装置であって、
払戻手段は、
読取られた投票券のベットから投票が的中した複数ベットを表示する複数ベット表示手段と、
表示された複数ベットから、払戻ベットを指定する払戻ベット指定手段と、
指定されたベットの配当金の払戻を行う指定ベット金額払戻手段と
指定されたベットを除いた残ベットの配当金を合計する残ベット金額計算手段と、
計算された残ベットの合計金額を投票券に出力し、金券として発行する金券発行手段と、を有することを特徴とする投票券払戻装置。
【請求項２】
投票結果の確定した投票券を読取る投票券読取手段と、読取られた投票券データをセンタに送信し、センタから払戻データを受信する通信手段と、受信した払戻データに基づき配当金の払戻を行う払戻手段とを有する投票券払戻装置であって、
払戻手段は、
払戻指定画面を表示する払戻指定画面表示手段と、
払戻指定画面により払戻金額を指定する払戻金額指定手段と、
指定された金額の払戻を行う指定金額払戻手段と、
配当金と払戻指定金額の差分を計算する残額計算手段と、
計算された残額を投票券に出力し、金券として発行する金券発行手段と、
を有することを特徴とする投票券払戻装置。
【請求項３】
投票内容を入力する投票情報入力手段と、センタとの通信手段と、  入力された投票情報をセンタに送信し、センタから受信した発券データにより投票券を発券する発券手段と、投票結果の確定した投票券を読取る投票券読取手段と、読取られた投票券データをセンタに送信し、センタから受信した払戻データに基づき配当金の払戻を行う払戻手段とを有する投票券発券・払戻装置であって、
投票情報入力手段により入力された新たなレースの投票情報から投票金額を計算する投票金額計算手段と、
払戻指定画面を表示する払戻指定画面表示手段と、
払戻指定画面により払戻金額を指定する払戻金額指定手段と、
指定された金額と計算された投票金額の精算を行う精算手段と、
精算結果に基き、新たな投票券を発行する新投票券発行手段と、
精算された金額の払戻を行う精算金額払戻手段と、
配当金と払戻指定金額との差分を計算する残額計算手段と、
計算された残額を投票券に出力し、金券として発行する金券発行手段と、
を有することを特徴とする投票券発券・払戻装置。
【発明の詳細な説明】
【０００１】
【発明の属する技術分野】
本発明は、競馬，競輪等の公営競技にて使用される投票券を払戻す投票券払戻装置および投票券の発券及び払戻処理を行う投票券発券・払戻装置に関するものである。
【０００２】
【従来の技術】
図１１は、従来例のトータリゼータシステム構成図を示す。
投票券の購入は、予め購入者が投票カードと呼ばれるマークシートに、購入を希望する投票情報、例えば投票式別，開催場所，レース番号，投票組番，投票金額などを記入し、それを投票券発券装置にて読み取らせる。読取られた投票データは、センタに回線を通じて送信され、センタで管理番号が採番されたのち、その番号が、投票券発券装置に返信される。投票券発券装置は、センタからの管理番号と投票データを磁気記録して、投票券の発券が行われている。（例えば、特許文献１参照）
また、投票結果が確定すると、購入者は、的中券を投票券払戻装置に読ませる。読取られた的中券データは、センタに送信される。センタでは、的中券データの的中の有無のチェックし、的中している場合は、的中内容、払戻金額データを投票券払戻装置へ返信し払戻金額が排出されるとともに、的中券は回収される。
【０００３】
【特許文献１】
特開平９−２５９１９０（２頁）
【０００４】
【発明が解決しようとする課題】
しかし、複数ベットで購入した投票券についての配当金の出力は、投票券単位に全額の支払が行われるため、購入者は、ベット単位、金額単位に配当金を分割するような必要に応じた細やかな払戻しを受けることができなかった。
本発明は、的中した投票券の配当金を分割する形の払戻指定ができる投票券払戻装置、投票券発券・払戻装置を提供することを目的とする。
【０００５】
【課題を解決するための手段】
投票結果の確定した投票券を読取る投票券読取手段と、読取られた投票券データをセンタに送信し、センタから払戻データを受信する通信手段と、受信した払戻データに基づき配当金の払戻を行う払戻手段とを有する投票券払戻装置であって、払戻手段は、読取られた投票券のベットから投票が的中した複数ベットを表示する複数ベット表示手段と、表示された複数ベットから、払戻ベットを指定する払戻ベット指定手段と、指定されたベットの配当金の払戻を行う指定ベット金額払戻手段と指定されたベットを除いた残ベットの配当金を合計する残ベット金額計算手段と、計算された残ベットの合計金額を投票券に出力し、金券として発行する金券発行手段と、を有する構成である。
【０００６】
この構成により、投票が的中したベット毎に払戻しができるので、購入者の要望に応じた払戻しが可能となる。また、投票券をそのまま金券として利用するので、金券を投票券とは別に発行する必要がなく、投票券の再利用が可能である。
また、本発明の投票券払戻装置は、投票結果の確定した投票券を読取る投票券読取手段と、読取られた投票券データをセンタに送信し、センタから払戻データを受信する通信手段と、受信した払戻データに基づき配当金の払戻を行う払戻手段とを有する投票券払戻装置であって、払戻手段は、払戻指定画面を表示する払戻指定画面表示手段と、払戻指定画面により払戻金額を指定する払戻金額指定手段と、指定された金額の払戻を行う指定金額払戻手段と、配当金額と払戻指定金額の差分を計算する残額計算手段と、計算された残額を投票券に出力し、金券として発行する金券発行手段と、を有する構成である。
【０００７】
この構成により、投票が的中したベットの払戻金額の中から、自由に払戻金額を決めることができるので、購入者の要望に応じた払戻しが可能となる。また、投票券をそのまま金券として利用するので、金券を投票券とは別に発行する必要がなく、投票券の再利用が可能である。
また、本発明の投票券発券・払戻装置は、投票内容を入力する投票情報入力手段と、センタとの通信手段と、入力された投票情報をセンタに送信し、センタから受信した発券データにより投票券を発券する発券手段と、投票結果の確定した投票券を読取る投票券読取手段と、読取られた投票券データをセンタに送信し、センタから受信した払戻データに基づき配当金の払戻を行う払戻手段とを有する投票券発券・払戻装置であって、投票情報入力手段により入力された新たなレースの投票情報から投票金額を計算する投票金額計算手段と、払戻指定画面を表示する払戻指定画面表示手段と、払戻指定画面により払戻金額を指定する払戻金額指定手段と、指定された金額と計算された投票金額の精算を行う精算手段と、精算結果に基き、新たな投票券を発行する新投票券発行手段と、精算された金額の払戻を行う精算金額払戻手段と、配当金と払戻指定金額との差分を計算する残額計算手段と、計算された残額を投票券に出力し、金券として発行する金券発行手段と、を有する構成である。
【０００８】
この構成により、投票が的中したベットの払戻金額の中から、新しいレースの投票券を購入するとともに、払戻指定金額の残金を現金で受取り、また配当金の残りは金券として受取るので、新レースの投票券の購入、現金の受取り、金券の取得と３つの処理が出来るので、顧客への細やかな対応が可能となる。
【０００９】
【発明の実施の形態】
図１に、本発明の実施例の投票券発券・払戻装置の構成図を示す。
主制御部２は、装置全体の制御を行う。
入金部３は、投票券を現金で購入する場合に投入された現金の処理部である。
操作部４は、投票券の購入指示、投票が確定した投票券に対しての各種払戻指示を処理する。
【００１０】
投票カード読取部５は、投票カードである投票券購入用のマークシートを読み取る処理を行う。
投票券読取部６は、投票券を読み取る処理を行う。
表示部７は、投票券購入および払戻の操作ガイダンスを表示する。
通信部８は、センタとの通信処理を行う。
【００１１】
発券部９は、投票券の金額計算を含む発券処理を行う。
払戻処理部１０は、払戻処理の全般の制御、即ち複数ベット表示処理、払戻ベット指定処理、払戻指定画面表示処理、払戻金額指定処理、払戻金の計算、現金の払戻処理、投票券機能を抹消後に、金券データを書込み、金券として出力する処理、投票券抹消後に、記念券として発行する処理等を行う。
【００１２】
また、図２に、本発明の実施例の投票券払戻装置の構成図を示す。
投票券払戻装置２１は、投票券発券・払戻装置１から、入金部３と投票カード読取部５と、発券部９を取り除いた構成である。
投票券払戻装置２１の動作は、投票券発券・払戻装置１の払戻機能と同様である。ただし、発券機能がないため、投票券の購入は、出来ない。
【００１３】
図３に実施例のシステム構成図を示す。
センタと投票券発券・払戻装置１とが接続され、発券、払戻が行われる。また、出力された金券は、施設内の店舗で、商品の購入に使用される。
図３ｂに投票券情報ファイル例を、図３ｃに金券のデータ例を示す。
次に、投票券発券・払戻装置１の動作について説明する。
【００１４】
まず、投票券の購入には、投票カードである投票券購入用マークシートに記入する。
次に、顧客は、投票券発券・払戻装置１の表示部７を見て、操作部４から投票券購入メニューを指定する。
次に、投票カード読取部５に投票カードを読ませる。
【００１５】
読まれたデータをもとに投票金額が表示部７に表示されるので、購入者は、該当金額を入金部３に入金する。
次に、投票データは、センタに送信される。センタは、投票データを格納し、管理番号を採番する。例えば、図３ｂ投票情報ファイル例に示すように投票情報０１，０２、０３番に対して、２３４５６７８９番が振られる。投票券発券・払戻装置１は、センタから管理番号のデータを受信すると、発券部９で、投票券を発券し、釣銭があるときには、発券された投票券とともに、釣銭を出力する。  次に、レースが終了し、払戻が確定したら、投票券発券・払戻装置１にて払戻しを行う。
【００１６】
図４  に、実施例の投票券発券・払戻装置の払戻処理の流れ図を示す。
顧客が投票券を投票券発券・払戻装置１に投入する（Ｓ１１ステップ）と、その投入された投票券データは、センタに送信される。センタでは、投票券データの管理番号から、投票券データの的中の有無のチェックし、的中している場合は、的中内容、配当金である払戻金額データを投票券発券・払戻装置１へ返信する。このとき、センタは、図３ｂ投票情報ファイル例に示すように管理番号２３４５６７８に対応した払戻しフラグをオンにすることで、投票券を抹消する。
【００１７】
次に、自動的に、払戻処理モードメニューが表示される。そして、顧客により第１処理モード選択が行われる（Ｓ１２ステップ）。すなわち金額指定または、ベット指定の選択を行う。
ベット指定の選択が行われると、次に第２処理モード選択を行う（Ｓ１３ステップ）。
【００１８】
第２処理モード選択において、記念券・払戻のモードを選択すると、投票の的中した払戻ベットが表示され、払戻ベットの選択待ちとなる。（Ｓ１８ステップ）。
顧客は、払戻対象のベットを番号で指定する（Ｓ１９ステップ）。
選択されたベットの金額が放出されるとともに、投票券機能を抹消された投票券は、記念券として出力される（Ｓ２０ステップ）。
【００１９】
次に、投票券の次レースの購入・払戻モードを選択すると、投票カード読取りモードとなり、マークシートの読込みを待つ。
顧客がマークシートに次レースの内容を記入して、読ませる（Ｓ１４ステップ）。
次に、払戻ベットの指定の表示が出る（Ｓ１５ステップ）。
【００２０】
そこで、払戻ベットを指定する（Ｓ１６ステップ）と、指定されたベットの払戻金額が計算される。合計金額が、次レースの投票金額を上回っていれば、センタと通信して、投票データを送信し、センタから管理番号を含む投票券データを受信する。そして、発券部９は、受信したデータを投票券に書き込み、次レースの投票券が出力される。また同時に、精算された残額が、放出される。
【００２１】
また、指定されたベット以外の残ベットのあるときには、合計金額が計算され、その金額が投票券に印刷されるとともに磁気部に書き込まれ、投票券機能が抹消された金券としての投票券が放出される（Ｓ１７ステップ）。
図示はしていないが、合計金額が、次レースの投票金額を下回っていれば、不足分の入金を督促し、入金額が不足分を上回れば、センタと通信を開始し、その後の処理は、Ｓ１７ステップとなる。
【００２２】
また、図示していないが、残ベットがないときには、金券出力が出来ないので、投票券を回収する。
また、図示していないが、金券の代わりに、加算手段を設けて、精算額に金券額を加算して現金として出力することもできる。
次に、金券・払戻モードを選択すると、払戻ベットを選択してくださいとの表示が出る（Ｓ２１ステップ）ので、払戻ベットを指定する（Ｓ２２ステップ）と、そのベットの対応する金額が出力され、また配当金と指定された払戻ベットの払戻金額との差額が投票券に印刷されるとともに磁気部に書き込まれ、投票券機能が抹消された金券としての投票券が放出される（Ｓ２３ステップ）。
【００２３】
図５に、金額指定処理の流れ図を示す。
顧客により第３処理モード選択が行われる（Ｓ３１ステップ）。
全額払戻モードを選択すると、金額の放出と投票券の回収処理が行われる（Ｓ３５ステップ）。
指定払戻モードを選択すると、指定金額入力画面が表示される（Ｓ３２ステップ）。
【００２４】
顧客により指定金額が操作部４から入力される（Ｓ３３ステップ）。
次に、その指定金額が放出される。同時に、配当金と指定金額との差額が投票券に印刷されるとともに、磁気部に書き込まれ、投票券機能が抹消された金券としての投票券が放出される（Ｓ３４ステップ）。
また、図示していないが、金券の代わりに、記念券として出力することもできる。
【００２５】
次に、投票券の次レースの購入・払戻モードを選択すると、投票カード読取りモードとなり、マークシートの読込みを待つ。
顧客がマークシートに次レースの内容を記入して、読ませる（Ｓ３６ステップ）。
次に、指定金額入力画面の表示が出る（Ｓ３７ステップ）。
【００２６】
そこで、指定金額を入力する（Ｓ３８ステップ）と、次レースの投票金額を上回っていれば、センタと通信して、投票データを送信し、センタから管理番号を含む投票券データを受信する。そして、発券部９は、受信したデータを投票券に書き込み、次レースの投票券が出力される。また同時に、精算された残額が、放出される。
【００２７】
また、配当金と指定金額の差を計算され、その金額が投票券に印刷されるとともに磁気部に書き込まれ、投票券機能が抹消された金券としての投票券が放出される（Ｓ３９ステップ）。
図示はしていないが、指定金額が、次レースの投票金額を下回っていれば、不足分の入金を督促するので、新たな入金額が不足分を上回れば、センタと通信を開始し、その後の処理は、Ｓ３９ステップとなる。
【００２８】
また、図示していないが、金券ではなく、加算手段を設け、現金として精算額に加算して出力することや、また、指定金額は、現金の払戻金額を指定するものとし、配当金から現金の払戻金額および次レース金額を差引きしたものを金券とすることもできる。
次に、具体例に沿って説明する。
【００２９】
図６に記念券・払戻処理の説明図を示す。
まず、顧客が１番、２番、３番を各単勝式で投票券を購入する。
レースが終了し、１番の馬が１２０円、２番の馬が１２万円、３番の馬が２万円の配当金が確定したとする。
そして、顧客が、投票券発券・払戻装置１に投票券を投入すると、処理モードが表示されるので、顧客が、ベット指定及び記念券・払戻モードを指定すると、払戻ベットが表示される。
【００３０】
そこで、２番と３番の馬を指定すると、投票券発券・払戻装置１から、投票券機能を抹消した記念券としての投票券と指定した払戻金１４万円が出力される。
図７に次レース購入・払戻処理の説明図を示す。
まず、顧客が１番、２番、３番を各単勝式で投票券を購入する。
レースが終了し、１番の馬が１２０円、２番の馬が１２万円、３番の馬が２万円の配当と払戻金額が確定するとする。
【００３１】
そして、顧客が、投票券発券・払戻装置１に投票券を投入すると、処理モードが表示されるので、顧客が、ベット指定及び次レース購入・払戻モードを選択すると、次レース投票券の投入モードとなる。
そして、顧客が１１１００円の投票内容を投票申込用紙に記入後、装置に次レース投票券を読ませると、払戻ベットの指定が出てくるので、３番の指定を行うと、次レースの投票券が発券され、８９００円の現金、１２０１２０円の金券とともに放出されてくる。
【００３２】
図８に、金券・払戻処理の説明図を示す。
まず、顧客が１番、２番、３番を各単勝式で投票券を購入する。
レースが終了し、１番の馬が１２０円、２番の馬が１２万円、３番の馬が２万円の配当と払戻金額が確定するとする。
そして、顧客が、投票券発券・払戻装置１に投票券を投入すると、処理モードが表示されるので、顧客が、ベット指定及び金券モードを選択すると、払戻しベットが表示される。
【００３３】
そこで、１番と２番の馬を選択すると、投票券発券・払戻装置１から、１２０１２０円の現金の支払いと２万円の金券としての投票券が放出される。顧客は、例えば、その金券を競馬場内の売店等で使用することができる。
図９に、金額指定の払戻処理１の説明図を示す。
まず、顧客が１番、２番、３番を各単勝式で投票券を購入する。
レースが終了し、１番の馬が１２０円、２番の馬が１２万円、３番の馬が２万円の配当と払戻金額が確定するとする。
【００３４】
そして、顧客が、投票券発券・払戻装置１に投票券を投入すると、処理モードが表示されるので、顧客が、金額指定モードを選択すると、処理モードが表示されるので、指定払戻を選択すると、金額入力画面が表示される。
そこで、金額入力画面に払戻の１２０１２０円の金額を入力すると、現金の支払いと残金額２万円の金券としての投票券が放出される。顧客は、例えば、その金券を競馬場内の売店等で使用することができる。
【００３５】
図１０に、金額指定の払戻処理２の説明図を示す。
まず、顧客が１番、２番、３番を各単勝式で投票券を購入する。
レースが終了し、１番の馬が１２０円、２番の馬が１２万円、３番の馬が２万円の配当と払戻金額が確定するとする。
そして、顧客が、投票券発券・払戻装置１に投票券を投入すると、処理モードが表示されるので、顧客が、金額指定モードを選択すると、処理モードが表示されるので、次レース購入・払戻を選択すると、次レース投票券の投入モードとなる。
【００３６】
そして、顧客が１１１００円の投票内容を投票申込用紙に記入後、装置に次レース投票券を読ませると、投票金額１１１００円、配当金合計金額１４０１２０円および払戻金額入力画面が表示される。
そこで、金額入力画面に払戻の１３１１２０円の金額を入力すると、次レース投票券と現金の支払いに充当し、残金額９０００円については、金券としての投票券が放出される。
【００３７】
そして、顧客は、例えば、その金券を競馬場内の売店等で使用することができる。
【００３８】
【発明の効果】
以上のように本発明によれば、複数ベットの投票券の払戻を必要に応じた細やかな払戻しを受けることができる。
【図面の簡単な説明】
【図１】実施例の投票券発券・払戻装置の構成図
【図２】実施例の投票券払戻装置の構成図
【図３】実施例のシステム構成図
【図４】実施例の投票券発券・払戻装置の処理の流れ図
【図５】金額指定処理の流れ図
【図６】記念券・払戻処理の説明図
【図７】次レース購入・払戻処理の説明図
【図８】金券・払戻処理の説明図
【図９】金額指定の払戻処理１の説明図
【図１０】金額指定の払戻処理２の説明図
【図１１】従来例のトータリゼータシステム構成図
【符号の説明】
１  投票券発券・払戻装置
２  主制御部
３  入金部
４  操作部
５  投票カード読取部
６  投票券読取部
７  表示部
８  通信部
９  発券部
１０  払戻処理部
２１  投票券払戻装置
【図１】
2004164330.tif 000003
【図２】
2004164330.tif 000004
【図３】
2004164330.tif 000005
【図４】
2004164330.tif 000006
【図５】
2004164330.tif 000007
【図６】
2004164330.tif 000008
【図７】
2004164330.tif 000009
【図８】
2004164330.tif 000010
【図９】
2004164330.tif 000011
【図１０】
2004164330.tif 000012
【図１１】
2004164330.tif 000013